(57)【特許請求の範囲】
【請求項１】
端部どうしが連結軸を介して連結されて互いに旋回可能である第１アームと第２アームとを含み、前記第１アームの前記端部に対する反対端部を回転可能に扉に取り付け、前記第２アームの前記端部に対する反対端部を前記扉が開閉する固定枠に回転可能に取り付け、前記第１アームの前記反対端部と前記第２アームの前記反対端部とが互いに近接し、かつ前記第１アームの一方の側部および前記第２アームの一方の側部のみが接近するように折曲することができ、前記扉を前記固定枠に対して開放状態に保持することができるステーであって、
前記第１アームと前記第２アームとのいずれかが、そのいずれかにおける前記反対端部に取り付けられたシャフトと、前記シャフトを回転可能に支持した状態で前記扉及び前記固定枠のいずれかに取り付けられるブラケットとを含み、
前記ブラケットが、前記シャフトの軸方向において互いに離間しており前記軸方向に対する直交方向において互いに平行して広がる一対のプレート部と、前記軸方向において前記プレート部の一方に離間接近可能であって接近する方向にばねで付勢されているストッパー部とを含み、一対の前記プレート部それぞれには、前記シャフトを前記直交方向において進入・退出させることが可能であって深さ方向が前記直交方向にある案内溝が形成され、前記シャフトの両端部には、前記シャフトが前記プレート部それぞれの前記案内溝に進入したときに前記軸方向において前記プレート部それぞれの外側に位置するとともに前記案内溝の幅よりも大きな寸法を有する拡径部が形成されており、
前記ブラケットに含まれる前記ストッパー部は、前記プレート部の一方に接近したときに、前記案内溝に進入している前記シャフトの前記拡径部の一方に対して、前記シャフトが退出する方向の前方に位置して前記拡径部の一方の前記退出する方向への動きを阻止する位置にあり、前記ストッパー部はまた、前記ばねの付勢に抗して前記プレート部の一方から離間したときに、前記拡径部の一方の前記退出する方向への動きを許容する位置にあって前記シャフトの退出が可能になり、
前記一対のプレート部は、前記第２アームと前記固定枠との間に位置して第２案内溝を有する第２プレート部と、前記第２アームに対して前記第２プレート部の反対側に位置して第１案内溝を有する第１プレート部とを有し、
前記第１プレート部の前記第１案内溝の幅より、前記第２プレート部の前記第２案内溝の幅が大きく、
前記シャフトは、前記第１案内溝に進退する軸部と、前記第２案内溝に進退する中間拡径部とを有し、前記中間拡径部の径が、前記軸部の径よりも大きいことを特徴とする前記ステー。
【請求項２】
前記ストッパー部は、前記シャフトが前記溝へ進入する方向から圧接すると、前記ばねの付勢に抗して前記プレート部の一方から自動的に離間して前記シャフトの前記溝への進入が可能になる請求項１記載のステー。
【発明の詳細な説明】
【技術分野】
【０００１】
この発明は、扉を開放状態に保持することができるステーに関する。
【背景技術】
【０００２】
従来、互いに旋回可能に連結された一対のアームを使用して扉を固定枠に対して開放状態に保持することができるステーは公知ないし周知である。例えば、特開２００３−１８４４１７号公報（特許文献１）に開示されたドアクローザのアーム部材連結構造は、この種のステーに使用されるものである。このアーム部材連結構造は、ドア側の第一アーム部材と、枠体側の第二アーム部材とを含み、これらアーム部材の端部どうしが回転可能に連結されている。端部どうしの間には、支軸と、支軸の外側に嵌められる揺動部材と、揺動部材が支軸から抜けることを防止する抜け止め軸とが介在している。抜け止め軸は弾性変形可能なもので、支軸に対してワンタッチ操作で着脱することができる。第一アーム部材のもう一方の端部は、止めねじを介してドアクローザに回転可能に取り付けられている。また、第二アーム部材のもう一方の端部は、リベットを使用してブラケットに回転可能に取り付けられている。
【特許文献１】特開２００３−１８４４１７号公報
【発明の開示】
【発明が解決しようとする課題】
【０００３】
ステーを使用して扉を所定の開放状態に保持することができるようにしてある扉では、扉をその所定の開放状態よりもさらに広い開放状態にしたいということがある。前記従来技術のアーム部材連結構造を含むステーが使用されている扉の場合には、第一アーム部材と第二アーム部材とを連結している抜け止め軸を取り外したり、第一アーム部材をドアクローザに取り付けるための止めねじを外したりすればよいが、それには工具が必要になったり、取り外した抜け止め軸等の保管が必要になったりするという繁雑さがある。
【０００４】
そこで、この発明は、ステーによって扉を所定の開放状態に保持することが可能であるとともに、扉をその開放状態よりもさらに広く開放することが容易となるように、従来のステーに改良を施すことを課題にしている。
【課題を解決するための手段】
【０００５】
前記課題を解決するために、この発明が対象とするのは、端部どうしが連結軸を介して連結されて互いに旋回可能である第１アームと第２アームとを含み、前記第１アームの前記端部に対する反対端部を回転可能に扉に取り付け、前記第２アームの前記端部に対する反対端部を前記扉が開閉する固定枠に回転可能に取り付け、前記第１アームの前記反対端部と前記第２アームの反対端部とが互いに接近し、かつ前記第１アームの一方の側部および前記第２アームの一方の側部のみが接近するように折曲することができ、前記扉を前記固定枠に対して開放状態に保持することができるステーである。
【０００６】
かかるステーにおいて、この発明が特徴とするところは、以下のとおりである。前記第１アームと前記第２アームとのいずれかが、そのいずれかにおける前記反対端部に取り付けられたシャフトと、前記シャフトを回転可能に支持した状態で前記扉及び前記固定枠のいずれかに取り付けられるブラケットとを含む。前記ブラケットは、前記シャフトの軸方向において互いに離間しており前記軸方向に対する直交方向において互いに平行して広がる一対のプレート部と、前記軸方向において前記プレート部の一方に離間接近可能であって接近する方向にばね付勢されているストッパー部とを含む。一対の前記プレート部それぞれには、前記シャフトを前記直交方向において進入・退出させることが可能であって深さ方向が前記直交方向にある案内溝が形成されている。前記シャフトの両端部には、前記シャフトが前記プレート部それぞれの前記案内溝に進入したときに前記軸方向において前記プレート部それぞれの外側に位置するとともに前記案内溝の幅よりも大きな寸法を有する拡径部が形成されている。前記ブラケットに含まれる前記ストッパー部は、前記プレート部の一方に接近したときに、前記案内溝に進入している前記シャフトの前記拡径部の一方に対して、前記シャフトが退出する方向の前方に位置して前記拡径部の一方の前記退出する方向への動きを阻止する位置にある。前記ストッパー部はまた、前記ばねの付勢に抗して前記プレート部の一方から離間したときに、前記拡径部の一方の前記退出する方向への動きを許容する位置にあって、前記シャフトの退出が可能になる。前記一対のプレート部は、前記第２アームと前記固定枠との間に位置して第２案内溝を有する第２プレート部と、前記第２アームに対して前記第２プレート部の反対側に位置して第１案内溝を有する第１プレート部とを有する。前記第１プレート部の前記第１案内溝の幅より、前記第２プレート部の前記第２案内溝の幅が大きい。前記シャフトは、前記第１案内溝に進退する軸部と、前記第２案内溝に進退する中間拡径部とを有し、前記中間拡径部の径が、前記軸部の径よりも大きい。
【０００７】
この発明の実施形態の一つにおいて、前記ストッパー部は、前記シャフトが前記溝へ進入する方向から圧接すると、前記ばねの付勢に抗して前記プレート部の一方から自動的に離間して前記シャフトの前記溝への進入が可能になる。
【発明の効果】
【０００８】
この発明に係るステーは、第１アームと第２アームとのいずれかにおける端部に取り付けられたシャフトが扉および固定枠のいずれかに取り付けられたブラケットに回転可能に支持される。ブラケットにはシャフトを進入・退出させることが可能な溝部と、溝部に進入したシャフトの退出を阻止可能なストッパー部とが形成されている。ストッパー部は、ばねの付勢に従って動いてプレート部の一部に接近したときにシャフトの退出を阻止する位置にあり、ばね付勢に抗して動いてプレート部の一部から離間したときにシャフトの退出を許容する位置にあるから、このストッパー部を操作することによって、第１アームと第２アームとのいずれかを扉および固定枠のいずれかから簡単に取り外すことができて、扉をステーに拘束されることなく開放することができる。
【発明を実施するための最良の形態】
【０００９】
添付の図面を参照してこの発明に係るステーの詳細を説明すると以下のとおりである。
【００１０】
図１は、使用状態にあるステー１０の斜視図である。ステー１０は、第１アーム１１と第２アーム１２とを含んでいる。これら両アーム１１，１２は、端部１５，１６どうしが連結軸１３を介して互いに旋回可能に連結されている。第１アーム１１はまた、端部１５に対する反対端部１７が第１ブラケット２１に回転可能に取り付けられていて、第１ブラケット２１が扉１９の内面に取り付けられている。第２アーム１２は、端部１６に対する反対端部１８が第２ブラケット２２に回転可能に取り付けられており、その第２ブラケット２２が固定枠２３の天井２４に設けられた台座部２６に取り付けられている。図示の扉１９は、ヒンジ２７を介して固定枠２３に開閉可能に取り付けられていて、ステー１０が延びた状態にあることによって、所定の開放状態に保持されている。
【００１１】
図２，３において、図２は、図１におけるＩＩ−ＩＩ線矢視図であるが、一部分が破断された状態にあり、また扉１９と固定枠２３との図示が省略されている。図３は、図２のうちの仮想線ＩＩＩで囲まれている部分の破断図である。これらの図において、第１アーム１１の端部１５は、コイルばね３１によって矢印Ｆ方向へ付勢されているリリースボタン３２を有し、そのリリースボタン３２には、レシーバピン３３が設けられている。第１アーム１１にはまた、リリースボタン３２をばね３１の付勢に抗して矢印Ｆの反対方向へ押圧したときに、レシーバピン３３をその反対方向へ導くことのできる案内孔３４が形成されている。第２アーム１２の端部１６は、レシーバピン３３に対して離脱可能に係合しているフック部３６を有する。図１，２の如くステー１０が延びているときには、フック部３６に対してレシーバピン３３がばね３１の付勢下に圧接した状態にあって、第１アーム１１と第２アーム１２とは互いに動くことがない。リリースボタン３２をばね３１の付勢に抗して矢印Ｆとは反対の方向へ移動させると、レシーバピン３３がフック部３６から離間してレシーバピン３３とフック部３６との係合が解け、連結軸１３を中心にして第１アーム１１を仮想線の位置にまで旋回させてステー１０を折曲した状態にすることができる。図示してはいないが、第１アーム１１をそのように旋回させると、扉１９も旋回して固定枠２３を閉じることができる。
【００１２】
図４，５において、図４は図２におけるＩＶ−ＩＶ線矢視図であって、第２ブラケット２２の側面形状が示されている。図５は、図４のＶ−Ｖ線断面図である。これらの図では、第２アーム１２が仮想線で示されている。また、これらの図から明らかなように、第２ブラケット２２は、一対の互いに平行する第１プレート部４１と第２プレート部４２とのほかに、ストッパープレート部４３を有している。図中の双頭矢印は、互いに直交して水平に延びる第１方向Ａと第２方向Ｂとを示すとともに、第１、第２方向Ａ，Ｂに直交して垂直に延びる第３方向Ｃを示している。
【００１３】
第１プレート部４１は、第１、第２方向Ａ、Ｂに広がっていて、連結部４４を介して第２プレート部４２につながっており、第１方向Ａの中央部分に第１案内溝４６が形成されている。
【００１４】
第２プレート部４２は、両翼部４７と、両翼部４７の間にあって第１プレート部４１に平行している中央部４８と、中央部４８を両翼部４７のそれぞれにつなぐ両側壁部４９とを有し、中央部４８は第１、第２方向Ａ，Ｂに広がっていて第２案内溝５２が形成されている。第１案内溝４６と第２案内溝５２とは、それらの幅方向である第１方向Ａの寸法を二等分する中心線Ｐを共有するもので、第２方向Ｂに深さ方向を有している。両翼部４７には、第２ブラケット２２を固定枠２３の台座部２６に取り付けるときに使用するねじ孔４７ａが形成されている（図２参照）。
【００１５】
ストッパープレート部４３は、第２プレート部４２における中央部４８の下方にある。そのストッパープレート部４３は、両側壁部４９間に延びているブラケットシャフト５３に旋回可能に取り付けられており、かつ、ブラケットシャフト５３に取り付けられたコイルばね５４によって一対のプレート部４１，４２のうちの一方である第２プレート部４２の中央部４８に接近する方向へ付勢されている。ストッパープレート部４３はまた、周縁部５７と、その周縁部５７によって画成される中央空隙部５８とを有し、中央空隙部５８は第２アーム１２におけるシャフト６０（図６参照）の下端部である円盤状の第２拡径部６２を収容可能に形成されている。
【００１６】
図６は、図５に仮想線で示されている第２アーム１２の端部１８を部分的に破断して示す図である。端部１８では、第２アーム１２に形成された透孔１８ａにシャフト６０が嵌められている。そのシャフト６０は、第１方向Ａと第２方向Ｂとに直交する第３方向Ｃである図の上下方向へ延びていて、上端部を形成している第１拡径部６１と、軸部６７と、中間拡径部６８と、下端部を形成している第２拡径部６２とを有し、軸部６７には止め輪６９が取り付けられている。第１拡径部６１は、径Ｄ１を有し、径Ｄ１は第２ブラケット２２における第１プレート部４１の第１案内溝４６の幅Ｗ１よりも大きい。軸部６７は径Ｄ３を有し、径Ｄ３は第２アーム１２の透孔１８ａの径Ｄ４よりも僅かに小さい。中間拡径部６８は径Ｄ２を有し、径Ｄ２は第２ブラケット２２における第２案内溝５２の幅Ｗ２よりも僅かに小さい。第２拡径部６２は径Ｄ５を有し、径Ｄ５は第２案内溝５２の幅Ｗ２よりも大きく、かつ、ストッパープレート部４３における中央空隙部５８への収容が可能な大きさに形成されている。軸部６７における止め輪６９の外径は透孔１８ａの径Ｄ４よりも大きい。
【００１７】
このように形成されている第２アーム１２が第２ブラケット２２に対して図４，５に仮想線で示されている状態にあるときに、ストッパープレート部４３はコイルばね５４の付勢に従って旋回して第２プレート部４２の中央部４８に接触している。シャフト６０は、軸部６７が第１案内溝４６に回転可能に進入した状態にあり、中間拡径部６８が第２案内溝５２に回転可能に進入した状態にあって、シャフト６０が第１案内溝４６および／または第２案内溝５２の底部４６ａおよび／または５２ａに接触することで、図５の第２方向Ｂの左方におけるシャフト６０の位置が規制されている。第１拡径部６１は第１プレート部４１に対して図の上方から摺動可能に接触しており、第２拡径部６２は第２プレート部４２の中央部４８に図の下方から摺動可能に接触しているかまたは僅かな間隙をあけて離間している。したがって、シャフト６０はその軸方向である第３方向Ｃ、すなわち図の上下方向へ大きく動くことがない。第２拡径部６２はまた、ストッパープレート部４３の中央空隙部５８に収まっている。一方、第１，第２案内溝４６，５２に進入しているシャフト６０がこれらの案内溝４６，５２から退出する方向である第２方向Ｂの右方には、その退出する方向への第２拡径部６２の動きを阻止するように、第２拡径部６２の前方にストッパープレート部４３のうちの操作部７１が位置している。それゆえ、シャフト６０は、第１、第２案内溝４６，５２から退出することがない状態で、第２ブラケット２２に回転可能に支持されていて、第２アーム１２が第２ブラケット２２を介して固定枠２３に取り付けられた状態にある。なお、ストッパープレート部４３における操作部７１は、ストッパープレート部４３における周縁部５７の一部分である。
【００１８】
図５に示された、ストッパープレート４３は、操作部７１をばね５４の付勢に抗して第３方向Ｃの下方へ向かって押圧すると、第２プレート部４２の中央部４８から離間して仮想線の状態になり、操作部７１がシャフト６０の第２拡径部６２よりも下方に位置する。その結果、シャフト６０は第１、第２案内溝４６，５２から退出可能になる。図６に示された第２アーム１２は、そのようにしてシャフト６０が退出して、第２ブラケット２２から外れた状態にある。図１に示されている第２アーム１２が第２ブラケット２２からこのように外れると、扉１９はステー１０によって拘束されることなく開くことが可能になる。なお、ステー１０が図１の状態にあるときに、第２アーム１２の端部１８を第２ブラケット２２から外すには、ストッパープレート部４３の操作部７１を天井２４に向かって押し上げることになる。
【００１９】
図６の状態にあるシャフト６０は、それを図５の第１、第２案内溝４６，５２に水平方向から進入させるときに、図５において右下がりに傾斜している操作部７１に第２拡径部６２を図の右方から押圧すると、ストッパープレート部４３が自動的に仮想線の状態になって、シャフト６１を簡単に進入させることができる。
【００２０】
この発明において、固定枠２３に取り付けられた第２ブラケット２２は、それを扉１９に取り付けて第１アーム１１に対して使用することができるように両翼部４７を設計変更することができる。第１アーム１１もまた、第２ブラケット２２の使用が可能となるように設計変更することができる。
【図面の簡単な説明】
【００２１】
【図１】ステーの使用状態を示す図。
【図２】ステーの部分破断斜視図。
【図３】ステーの部分破断図。
【図４】第２ブラケットの側面図。
【図５】図４のＶ−Ｖ線矢視図。
【図６】第２アームの部分破断側面図。
【符号の説明】
【００２２】
１０    ステー
１１    第１アーム
１２    第２アーム
１５    端部
１６    端部
１７    反対端部
１８    反対端部
１９    扉
２２    ブラケット（第２ブラケット）
２３    固定枠
４１    プレート部（第１プレート部）
４２    プレート部（第２プレート部）
４３    ストッパー部（ストッパープレート部）
４６    溝部（第１案内溝）
５２    溝部（第２案内溝）
５４    ばね
６０    シャフト
６１    拡径部（第１拡径部）
６２    拡径部（第２拡径部）
Ａ    直交方向（第１方向）
Ｂ    直交方向（第２方向）
Ｃ    軸方向（第３方向）
【図１】
0004927025.tif 000002
【図２】
0004927025.tif 000003
【図３】
0004927025.tif 000004
【図４】
0004927025.tif 000005
【図５】
0004927025.tif 000006
【図６】
0004927025.tif 000007